(57)【要約】  【課題】  従来は取付金具を介して間接的に消火栓標識のポールを消火栓のケーシングに固定しているため、消火栓標識のポールに加わる荷重、具体的には積雪時の積雪による粘性による荷重、いたずらによる荷重等に対しては弱いという問題があった。  【解決手段】  地上式消火栓のケーシングの外側部に突設されていて突出端面に軸長方向をケーシング側へ向けたネジ孔２１が設けられた取付台２と、一端部に消火栓標識が固定されたポール５の他端部に軸長方向と交差する方向に設けられた貫通孔５１，５２又は５３，５４に挿通された状態で取付台２に設けられたネジ孔２１に螺入されるボルト４０と、貫通孔４１０にボルト４０が挿通された状態で取付台２とポール５との間に介装される第１の支持板４１と、貫通孔４２０にボルト４０が挿通された状態でポール５とボルト４０のボルト頭との間に介装される第２の支持板４２とを備える。【選択図】      図２
2005220582.tif 000002
【特許請求の範囲】
【請求項１】
地上式消火栓のケーシングに消火栓標識を取り付けるための消火栓標識取付具において、
一端部から他端部側へ向けてネジ孔が設けられており、前記ケーシングの外側部に前記他端部側が固定された取付台と、
一端部に消火栓標識が固定されており、他端部に軸長方向と交差する方向に貫通孔が設けられた標識支持桿の前記貫通孔に挿通された状態で前記取付台に設けられた前記ネジ孔に螺入されるボルトと、
該ボルトが挿通される貫通孔が設けられており、該貫通孔に前記ボルトが挿通された状態で前記取付台と前記標識支持桿との間に介装される第１の支持板と、
前記ボルトが挿通される貫通孔が設けられており、該貫通孔に前記ボルトが挿通された状態で前記標識支持桿と前記ボルトのボルト頭との間に介装される第２の支持板と
を備えたことを特徴とする地上式消火栓の消火栓標識取付具。
【請求項２】
前記取付台が前記ケーシングと一体形成されていることを特徴とする請求項１に記載の地上式消火栓の消火栓標識取付具。
【請求項３】
前記取付台が前記ケーシングに溶接又はロー付けで固定されていることを特徴とする請求項１に記載の地上式消火栓の消火栓標識取付具。
【請求項４】
それぞれの軸長方向が異なる方向となるように前記標識支持桿に前記貫通孔が複数設けられていることを特徴とする請求項１乃至３のいずれかに記載の地上式消火栓の消火栓標識取付具。
【請求項５】
前記第１及び第２の支持板の前記標識支持桿側の面が、前記標識支持桿の外側形状に一致する形状に形成されていることを特徴とする請求項１乃至４のいずれかに記載の地上式消火栓の消火栓標識取付具。
【請求項６】
前記標識支持桿の外側形状が円形であり、前記第１及び第２の支持板の前記標識支持桿側の面が前記標識支持桿の外径以下の曲率の弧状に形成されていることを特徴とする請求項５に記載の地上式消火栓の消火栓標識取付具。
【請求項７】
請求項１乃至６のいずれかに記載の消火栓標識取付具を備えたことを特徴とする地上式消火栓。
【請求項８】
ケーシングに消火栓標識が取り付けられる地上式消火栓において、
一端部から他端部側へ向けてネジ孔が設けられており、前記他端部側でケーシングの外側部に固定された取付台を備え、
一端部に消火栓標識が固定されており、他端部に軸長方向と交差する方向に貫通孔が設けられた標識支持桿の前記貫通孔に挿通されたボルトが前記取付台のネジ孔に螺入されることにより、前記消火栓標識が前記ケーシングに取り付けられるようにしてあることを特徴とする地上式消火栓。
【請求項９】
それぞれの軸長方向が異なる方向となるように前記標識支持桿に前記貫通孔が複数設けられていることを特徴とする請求項８に記載の地上式消火栓。
【請求項１０】
前記ボルトが挿通される貫通孔が設けられており、該貫通孔に前記ボルトが挿通された状態で前記取付台と前記標識支持桿との間に介装される第１の支持板と、
前記ボルトが挿通される貫通孔が設けられており、該貫通孔に前記ボルトが挿通された状態で前記標識支持桿と前記ボルトのボルト頭との間に介装される第２の支持板と
を更に備えたことを特徴とする請求項８又は９に記載の地上式消火栓。
【発明の詳細な説明】
【技術分野】
【０００１】
本発明は消火栓に関し、特に消火栓の設置位置を表示するための標識が取り付けられるいわゆる地上式の消火栓に標識を取付けるための消火栓標識取付具に関し、またそのような消火栓標識取付具を備えた地上式消火栓に関する。
【背景技術】
【０００２】
消火栓には、大別して路面下に設けられていて通常は路面と面一に設置された鉄製の蓋で隠されている埋設式と、地上に突設されている地上式とがある。地上式の消火栓は積雪時にもその所在を容易に認識可能とする必要から地上に突設されているが、多雪地帯においては積雪に埋没してしまう可能性もあるため、消火栓の近傍に消火栓標識が別途設置されていることが多い。
【０００３】
ところで、消火栓標識は従来は一般的には、一端部に消火栓標識が取付けられたポールの他端部を消火栓の設置位置の近傍の路面に掘削した竪穴に埋設して設置していた。このため、消火栓標識を設置するためには、アスファルト，コンクリート，レンガ等の路面を一旦掘削する必要があり、また消火栓標識を設置した後にはその周囲の路面を元の状態に修復する必要がある。このため、消火栓標識の設置には工事費が余分に必要であり、また消火栓標識が設置された後の路面の部分を元の状態と全く同様に補修することは事実上は不可能であるため、美観を損ねるという問題もあった。
【０００４】
このような事情から、本願出願人は先に「消火栓」の発明を出願した（特許文献１参照）。この特許文献１には、地上式の消火栓本体（ケーシング）の外側部に突起を具備すると共に、消火栓標識のポールには取付金具を取り付け、この取付金具を消火栓本体（ケーシング）に具備された突起にボルトで固定するようにしている。
【０００５】
この特許文献１に開示された発明では、上述の突起を消火栓本体（ケーシング）を鋳造する際に使用する鋳型を若干変更するのみで形成することが可能であるため、余分なコストもほとんど不要であると共に、なによりも消火栓標識のポールを埋設するために路面を掘削する必要が無いという利点がある。
【特許文献１】特開平１０−１７６３４９号公報
【発明の開示】
【発明が解決しようとする課題】
【０００６】
ところで、上述の特許文献１に開示された発明では、消火栓標識のポールに取付金具を取り付けた上でこの取付金具を消火栓本体（ケーシング）に具備された突起にボルト止めする構成であるため、消火栓標識のポールは間接的に消火栓本体（ケーシング）に固定されることになる。このため、積雪時には積雪の粘性等により消火栓標識のポールに加わる荷重に時として耐えられないという問題があった。また、幼児、泥酔者等が消火栓標識のポールを引っ張る等のいたずらによる荷重にも弱いという問題もあった。
【０００７】
本発明はこのような事情に鑑みてなされたものであり、特許文献１に記載された発明の利点を生かしつつその更なる改良を図ったものであり、消火栓標識のポールを直接的に消火栓のケーシングに取り付けることにより、上述したような問題の解決を図った消火栓標識取付具及びそのような消火栓標識取付具を備えた地上式消火栓の提供を目的とする。
【課題を解決するための手段】
【０００８】
本発明に係る地上式消火栓のケーシングに消火栓標識を取り付けるための消火栓標識取付具の第１の発明は、一端部から他端部側へ向けてネジ孔が設けられており、前記ケーシングの外側部に前記他端部側で固定された取付台と、一端部に消火栓標識が固定されており、他端部に軸長方向と交差する方向に貫通孔が設けられた標識支持桿の前記貫通孔に挿通された状態で前記取付台に設けられた前記ネジ孔に螺入されるボルトと、該ボルトが挿通される貫通孔が設けられており、該貫通孔に前記ボルトが挿通された状態で前記取付台と前記標識支持桿との間に介装される第１の支持板と、前記ボルトが挿通される貫通孔が設けられており、該貫通孔に前記ボルトが挿通された状態で前記標識支持桿と前記ボルトのボルト頭との間に介装される第２の支持板とを備えたことを特徴とする。
【０００９】
このような本発明の消火栓標識取付具の第１の発明では、第２の支持板の貫通孔、標識支持桿（ポール）の貫通孔、第１の支持板の貫通孔に第２の支持板の外側からボルトを挿通し、最後にボルトの第１の支持板から突出している部分を取付台のネジ孔に螺入することにより、標識支持桿が消火栓のケーシングに直接的に取り付けられる。
【００１０】
また本発明に係る消火栓標識取付具の第２の発明は上述の消火栓標識取付具の第１の発明において、前記取付台が前記ケーシングと一体形成されていることを特徴とする。
【００１１】
このような本発明の消火栓標識取付具の第２の発明では、消火栓のケーシングを鋳造する際に取付台が一体的に鋳造される。
【００１２】
更に本発明に係る消火栓標識取付具の第３の発明は前述の消火栓標識取付具の第１の発明において、前記取付台が前記ケーシングに溶接又はロー付けで固定されていることを特徴とする。
【００１３】
このような本発明の消火栓標識取付具の第３の発明では、取付台が具備されていない消火栓のケーシングに溶接又はロー付けにより取付台が後付けされる。
【００１４】
また更に本発明に係る消火栓標識取付具の第４の発明は、上述の消火栓標識取付具の第１乃至第３のいずれかの発明において、それぞれの軸長方向が異なる方向となるように前記標識支持桿に前記貫通孔が複数設けられていることを特徴とする。
【００１５】
このような本発明の消火栓標識取付具の第４の発明では、それぞれの軸長方向が異なる方向となるように標識支持桿に複数設けられている貫通孔のいずれにボルトを挿通して標識支持桿を消火栓のケーシングに取り付けるかにより、標識支持桿、より具体的には消火栓標識本体の向きが選択される。
【００１６】
また更に本発明に係る消火栓標識取付具の第５の発明では、上述の消火栓標識取付具の第１乃至第４のいずれかの発明において、前記第１及び第２の支持板の前記標識支持桿側の面が、前記標識支持桿の外側形状に一致する形状に形成されていることを特徴とする。
【００１７】
このような本発明の消火栓標識取付具の第５の発明では、両支持板により標識支持桿がより確実且つ強固に支持される。
【００１８】
また更に本発明に係る消火栓標識取付具の第６の発明は、上述の消火栓標識取付具の第５の発明において、前記標識支持桿の外側形状が円形であり、前記第１及び第２の支持板の前記標識支持桿側の面が前記標識支持桿の外径以下の曲率の弧状に形成されていることを特徴とする。
【００１９】
このような本発明の消火栓標識取付具の第６の発明では、標識支持桿の外側形状が円形、具体的には丸パイプ又は丸棒である場合に、両支持板の標識支持桿側の面が標識支持桿の外径以下の曲率の弧状に形成されているので、両支持板に弾性が生じ、これによって標識支持桿がより確実且つ強固に支持される。
【００２０】
本発明に係る地上式消火栓の第１の発明は、上述の第１乃至第６のいずれかの発明の消火栓標識取付具を備えたことを特徴とする。
【００２１】
このような本発明の地上式消火栓の第１の発明では、上述の第１乃至第６のいずれかの発明の消火栓標識取付具を備えることにより、標識支持桿、延いては消火栓標識が強固に取り付けられる。
【００２２】
本発明に係る地上式消火栓の第２の発明は、ケーシングに消火栓標識が取り付けられる地上式消火栓において、一端部から他端部側へ向けてネジ孔が設けられており、前記他端部側でケーシングの外側部に固定された取付台を備え、一端部に消火栓標識が固定されており、他端部に軸長方向と交差する方向に貫通孔が設けられた標識支持桿の前記貫通孔に挿通されたボルトが前記取付台のネジ孔に螺入されることにより、前記消火栓標識が前記ケーシングに取り付けられるようにしてあることを特徴とする。
【００２３】
このような本発明の地上式消火栓の第２の発明では、標識支持桿の貫通孔にボルトを挿通し、このボルトを取付台のネジ孔に螺入することにより、標識支持桿が消火栓標識がケーシングに直接的に取り付けられる。
【００２４】
また本発明に係る地上式消火栓の第３の発明は、上述の地上式消火栓の第２の発明において、それぞれの軸長方向が異なる方向となるように前記標識支持桿に前記貫通孔が複数設けられていることを特徴とする。
【００２５】
このような本発明の地上式消火栓の第３の発明では、それぞれの軸長方向が異なる方向となるように標識支持桿に貫通孔が複数設けられているので、いずれの貫通孔を使用するかにより、標識支持桿、より具体的には消火栓標識本体の向きが選択される。
【００２６】
また本発明に係る地上式消火栓の第４の発明は、上述の地上式消火栓の第２及び第３の発明において、前記ボルトが挿通される貫通孔が設けられており、該貫通孔に前記ボルトが挿通された状態で前記取付台と前記標識支持桿との間に介装される第１の支持板と、前記ボルトが挿通される貫通孔が設けられており、該貫通孔に前記ボルトが挿通された状態で前記標識支持桿と前記ボルトのボルト頭との間に介装される第２の支持板とを更に備えたことを特徴とする。
【００２７】
このような本発明の地上式消火栓の第４の発明では、第２の支持板の貫通孔、標識支持桿（ポール）の貫通孔、第１の支持板の貫通孔に第２の支持板の外側からボルトを挿通し、最後にボルトの第１の支持板から突出している部分を取付台のネジ孔に螺入することにより、標識支持桿が両支持板に保持された状態で消火栓のケーシングに直接的に取り付けられる。
【発明の効果】
【００２８】
本発明の消火栓標識取付具の第１の発明によれば、標識支持桿が両支持板により挟まれて支持された状態で、しかも消火栓のケーシングに具備された取付台のネジ孔に標識支持桿に挿通されたボルトにより直接的に固定されるので、標識支持桿が消火栓のケーシングに対して非常に強固に固定される。
【００２９】
本発明の消火栓標識取付具の第２の発明によれば、消火栓のケーシングを鋳造する際に取付台を一体的に鋳造することができるため、消火栓のケーシングに関しては従来品に比して容易且つごくわずかな手間を加えるのみで製造が可能になる。
【００３０】
本発明の消火栓標識取付具の第３の発明によれば、既に路上に設置されている消火栓、または既に鋳造されたケーシングにも取付台を容易に具備させることが可能になる。
【００３１】
本発明の消火栓標識取付具の第４の発明によれば、標識支持桿、より具体的には消火栓標識本体の向きを必要に応じて容易に変更することが可能になる。
【００３２】
本発明の消火栓標識取付具の第５の発明によれば、両支持板そのものが標識支持桿を確実に支持することが可能になり、これにより標識支持桿のケーシングに対する取付強度が非常に高く維持される。
【００３３】
本発明の消火栓標識取付具の第６の発明によれば、標識支持桿の外側形状が円形である場合、具体的には丸パイプ又は丸棒である場合に、両支持板の弾性により標識支持桿がより確実に支持される。
【００３４】
本発明の地上式消火栓の第１の発明によれば、上述の各発明のいずれかの消火栓取付具を備えているので、標識支持桿、より具体的には消火栓標識を強固に取り付けることが可能な地上式消火栓が実現される。
【００３５】
本発明の地上式消火栓の第２の発明によれば、標識支持桿がケーシングに具備された取付台のネジ孔にボルトで直接的に固定されるので、標識支持桿がケーシングに非常に強固に取り付けられる。
【００３６】
本発明の地上式消火栓の第３の発明によれば、標識支持桿、より具体的には消火栓標識本体の向きを必要に応じて容易に変更することが可能になる。
【００３７】
本発明の地上式消火栓の第４の発明によれば、標識支持桿が両支持板により挟まれて支持された状態で、しかも消火栓のケーシングに具備された取付台のネジ孔に標識支持桿に挿通されたボルトにより直接的に固定されるので、標識支持桿が消火栓のケーシングに対して非常に強固に固定される。
【発明を実施するための最良の形態】
【００３８】
以下、本発明をその実施の形態を示す図面を参照して説明する。図１は本発明の地上式消火栓を側面から見た状態を示す外観模式図である。
【００３９】
図中、１は地上式消火栓のケーシングを、２は消火栓標識を取り付けるための取付台を、３は消火栓標識本体を、４は消火栓標識取付具を、５は消火栓標識のポールをそれぞれ示している。なお、図１に示す例では、取付台２がケーシング１の外側部の上下方向の２個所に具備されており、この２個の取付台２がそれぞれ消火栓標識取付具４を介して消火栓標識のポール５をケーシング１に取り付けるようにしている。
【００４０】
消火栓のケーシング１は砂型鋳物により鋳造された鋳鉄製であり、通常は表面に焼き付け塗装又はメッキ処理等が防錆の目的で施されている。取付台２は詳細は後述するが、ケーシング１を鋳造する際に従来の砂型（鋳型）の一部を掻き取ることにより一体鋳造することが可能であるため、容易且つ実質的にほとんど余分なコスト及び手間を要することなしに具備させることが可能である。
【００４１】
但し、取付台２は上述のよう入力してケーシング１と一体鋳造する方法による他、別体として作製したものを溶接またはロー付けによりケーシング１に固定して具備させることも可能である。このような溶接またはロー付けにより取付台２をケーシング１に具備させる手法を採る場合は、既に路上に設置されている地上式の消火栓に本発明の消火栓と同様の作用効果を持たせることが可能になると共に、取付台を具備しない状態で鋳造されたケーシング１にも本発明の消火栓と同様の作用効果を持たせることが可能になる。
【００４２】
なお、標識支持桿であるポール５は本実施の形態では鉄，アルミ又は合成樹脂等の材質の丸パイプであり、上端部に消火栓標識本体３が取り付けられており、下端部側の部分が本発明の消火栓標識取付具４によりケーシング１に具備されている２個の取付台２に取り付けられている。
【００４３】
図２は本発明の消火栓標識取付具４の詳細な構成を示す模式図であり、図２(a) は図１に示されている状態と同様の側面視の外観模式図を、図２(b) は図２(a) に示すＡ−Ａ線での模式的平断面図をそれぞれ示している。
【００４４】
消火栓標識取付具４は、地上式消火栓のケーシング１に具備された取付台２と、第１の支持板４１と、第２の支持板４２と、ボルト４０とで構成されている。なお、取付台２にはボルト４０が螺入されるネジ孔２１が一端部から他端部側へ向けて適宜の深さに切られている。具体的には、取付台２は略直方体形状に形成されており、その一つの面（他端部）においてケーシング１に一体鋳造により、または溶接，ロー付け等により後付けにより接続しており、この他端部の面と対向する面（一端部）から他端部側、即ちケーシング１側へ向けてネジ孔２１がタッピング等により切られている。
【００４５】
一方、ポール５は上述した如く本実施の形態では丸パイプであり、適宜の高さ位置には周方向に９０度間隔でボルト４０が挿通可能な大きさの貫通孔５１，５２，５３，５４がそれぞれ設けられている。
【００４６】
両支持板４１，４２はいずれも、鉄，アルミ，合成樹脂等の材質の矩形の板材を加工したものである。具体的には、両支持板４１，４２は、矩形の一方の対向する一対の辺（図２(a) 上で上下方向の辺）の長さが取付台２の上下方向長さとほぼ同一で、他方の対向する一対の辺（図２(a) 上で左右方向の辺）の長さがポール５の外周の半分の長さよりも若干だけ短い板材を使用しており、他方の対向する一対の辺（図２(a) 上で左右方向の辺）をポール５の外径と等しい曲率で湾曲させる加工を施したものである。また、両支持板４１，４２の平面視で中央部にはボルト４０が挿通可能な大きさの貫通孔４１０，４２０がそれぞれ設けられている。
【００４７】
ところで、本実施の形態ではポール５が丸パイプ（丸棒でもよい）であるので、両支持板４１，４２はポール５の外径と等しい曲率で湾曲させた形状に加工されているが、ポール５が角パイプ又は角棒である場合には、その外形形状に合わせて両支持板４１，４２を折り曲げる加工を施せばよい。
【００４８】
以上のような構成の本発明の消火栓標識取付具４の各構成要素により、ポール５がケーシング１に具備された取付台２に取り付けられ、この結果として消火栓標識本体３がケーシング１に具備された取付台２に取り付けられる。具体的には、ボルト４０を、第２の支持板４２の湾曲の外側から貫通孔４２０に、更にポール５の対向する二つの貫通孔５１，５２（又は５３，５４）に、また更に第１の支持板４１の湾曲の内側から貫通孔４１０にそれぞれ挿通し、最後にボルト４０の第１の支持板４１から突出している先端部を取付台２のネジ孔２１に螺入する。従って、ボルト４０により両支持板４１，４２に両側から支持された状態でポール５がケーシング１に具備された取付台２に取り付けられる。この場合、両支持板４１，４２のポール５に面する側の面はいずれもポール５の外径と等しい曲率で湾曲した形状に形成されているので、ボルト４０をケーシング１の取付台２のネジ孔２１に螺入することにより、両支持板４１，４２にポール５が支持された状態でケーシング１に固定される。
【００４９】
なお、両支持板４１，４２のポール５に面する側の面の湾曲の曲率をポール５の外径よりもやや小さめにすることにより、ボルト４０で両支持板４１，４２及びポール５を取付台２に締め付けるようにすれば、両支持板４１，４２が弾性によりバネの効果を発揮するので、両支持板４１，４２により非常に強固にポール５を支持することが可能になる。
【００５０】
ところで、本実施の形態ではポール５には同一の高さ位置にその外周方向に９０度間隔で４個、換言すれば、１８０度間隔で２対の貫通孔５１乃至５４が設けられている。従って、相互に対向する貫通孔５１と５２、又は５３と５４のいずれにボルト４０を挿通させるかにより、ポール５の先端部に取り付けられている消火栓標識本体３の向きを９０度変化させてケーシング１に取り付けることが可能である。勿論、１８０度間隔で３対、４対、又はそれ以上の貫通孔を設けることが強度的に可能であれば、消火栓標識本体３の向きを更に多様な方向に変化させた状態でケーシング１に取り付けることが可能になる。但し、上述のような複数対の貫通孔をポール５の同一の高さ位置ではなく、それぞれ少しずつずらせた位置に設けてもよいことはいうまでもない。
【００５１】
更に、図３はポール５が丸パイプ又は丸棒である場合の取付台２の他の構成例を示す模式図であり、図２(b) と同様に図２(a) のＡ−Ａ線での模式的平断面図をそれぞれ示している。但し、この図３においては、取付台２と第１の支持板４１とのみを示している。
【００５２】
図３(a) 及び図３(b) に示すように、取付台２のネジ孔２１が設けられる端面の全部又は中央部分を第１の支持板４１の外側（取付台２に面する側）の曲率に合わせた曲率でケーシング１側に向けて凹状の湾曲形状とすることにより、第１の支持板４１を、延いてはポール５をより確実に取付台２に対して取り付けることも可能になる。
【００５３】
以上に詳述したように、本発明の消火栓標識取付具によれば、ポール（標識支持桿）が両支持板により挟まれて支持された状態で消火栓のケーシングに具備された取付台のネジ孔にボルトで固定されるので、ポールは消火栓のケーシングに対して非常に強固に固定される。また、消火栓のケーシングを鋳造する際の砂型の一部を掻き取る程度の手間により取付台を一体鋳造で形成して具備させることができるため、従来品に比して容易且つごくわずかなコスト及び手間をかけるのみで製造が可能になる。更に、既に路上に設置されている地上式の消火栓、または取付台が一体鋳造されていない消火栓のケーシングにも溶接またはロー付け等により容易に取付台を具備させることが可能であるので、ケーシングそのものを取り換える必要なしに消火栓標識を本発明の消火栓標識取付具を利用して地上式消火栓に取り付けることが可能になる。
【００５４】
また本発明の消火栓標識取付具によれば、必要に応じてポール（標識支持桿）、より具体的には消火栓標識本体の向きを選択することが容易に可能である。
【００５５】
更に、本発明の消火栓標識取付具によれば、標識支持桿が両支持板により確実に支持された状態でケーシングに取り付けられるので、ケーシングに対するポールの取り付け強度が非常に高く維持される。
【図面の簡単な説明】
【００５６】
【図１】本発明の地上式消火栓を側面から見た状態を示す外観模式図である。
【図２】本発明の消火栓標識取付具の詳細な構成を示す模式図であり、(a) は図１に示されている状態と同様の側面視の外観模式図を、(b) は(a) のＡ−Ａ線での模式的平断面図をそれぞれ示している。
【図３】取付台の他の構成例を示す模式図である。
【符号の説明】
【００５７】
１  （消火栓の）ケーシング
２  取付台
３  消火栓標識本体
４  消火栓標識取付具
５  ポール
２１  ネジ孔
４０  ボルト
４１，４２  支持板
４１０，４２０  （支持板の）貫通孔
５１〜５４  （ポールの）貫通孔
【図１】
2005220582.tif 000003
【図２】
2005220582.tif 000004
【図３】
2005220582.tif 000005